(57)【要約】      （修正有）【課題】ウェブページ上でのアンケートの配信を効果的に行う為のアンケート配信システムを提供する。【解決手段】アンケート配信サーバ１と、アンケートの回答者が利用する回答者端末と、アンケートの配信者が利用する配信者端末３と、がネットワークを介して通信可能に構成されるアンケート配信システムであって、アンケート配信サーバは、配信者端末から送信されるアンケート情報を受信するアンケート情報受信手段と、アンケート情報に基づいてアンケートを登録するアンケート登録手段と、アンケート配信ページを表示する為のＨＴＭＬファイルを受信した回答者端末から送信されるアンケート配信要求を受け付ける要求受付手段と、アンケート配信要求に基づいて、アンケート配信ページにアンケートを重ねて表示させる為のアンケート表示データを送信するアンケート配信手段と、を備えることを特徴とする。【選択図】図１
2017174333.tif 000002
【特許請求の範囲】
【請求項１】
アンケート配信サーバと、アンケートの回答者が利用する回答者端末と、アンケートの配信者が利用する配信者端末と、がネットワークを介して通信可能に構成されるアンケート配信システムであって、
前記アンケート配信サーバは、前記配信者端末から送信されるアンケート情報を受信するアンケート情報受信手段と、
前記アンケート情報に基づいてアンケートを登録するアンケート登録手段と、
アンケート配信ページを表示する為のＨＴＭＬファイルを受信した前記回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、を備えることを特徴とするアンケート配信システム。
【請求項２】
前記アンケート配信サーバは、前記配信者を特定する為の配信者情報を有し、回答者端末がアンケート配信要求を行う為の配信要求スクリプトを生成するコード生成手段を備え、
前記要求受付手段は、前記配信者情報を有するアンケート配信要求を受け付けることを特徴とする請求項１に記載のアンケート配信システム。
【請求項３】
前記アンケート配信手段は、前記配信者情報を用いて、出力されるアンケート表示データを決定することを特徴とする請求項２に記載のアンケート配信システム。
【請求項４】
前記アンケート配信サーバは、前記アンケート配信ページを有する配信先を登録する為の配信先登録手段と、
登録された前記配信先及び配信するアンケートを紐付けるアンケート接続手段と、を備えることを特徴とする請求項１〜３の何れかに記載のアンケート配信システム。
【請求項５】
前記要求受付手段は、前記配信先を特定する配信先情報を含むアンケート配信要求を受け付け、
前記アンケート配信手段は、前記配信先情報を用いて、出力するアンケート表示データを決定することを特徴とする請求項４に記載のアンケート配信システム。
【請求項６】
前記アンケート情報は、アンケートを表示する際の条件情報を有し、
前記アンケート表示データは、前記回答者端末から得られる回答者情報に基づいてアンケートの表示の可否判断を行う表示条件スクリプトを有すること、を特徴とする請求項１〜５に何れかに記載のアンケート配信システム。
【請求項７】
前記条件情報は、アンケートを表示させない１以上のウェブページを指定する為の除外ページ指定情報を有することを特徴とする請求項６に記載のアンケート配信システム。
【請求項８】
前記回答者端末からアンケートに対する回答情報を受け付ける回答受付手段と、
前記回答情報に基づいて、アンケートに関するレポートを生成するレポート生成手段と、を備えることを特徴とする請求項１〜７に何れかに記載のアンケート配信システム。
【請求項９】
アンケート配信ページにアンケートを表示させる為のアンケート配信サーバであって、
アンケートの登録の為に送信されるアンケート情報を受信するアンケート情報受信手段と、
前記アンケート情報に基づいてアンケートを登録するアンケート登録手段と、
アンケート配信ページを表示する為のＨＴＭＬファイルを受信した回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、を備えることを特徴とするアンケート配信サーバ。
【請求項１０】
アンケート配信ページにアンケートを表示させる為のアンケート配信プログラムであって、
コンピュータを、アンケートの登録の為に送信されるアンケート情報を受信するアンケート情報受信手段と、
前記アンケート情報に基づいてアンケートを登録するアンケート登録手段と、
アンケート配信ページを表示する為のＨＴＭＬファイルを受信した回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、として機能させることを特徴とするアンケート配信プログラム。
【請求項１１】
アンケート配信ページにアンケートを表示させる為のアンケート配信方法であって、
アンケート配信サーバが、アンケートの登録の為に送信されるアンケート情報を受信するステップと、
前記アンケート情報に基づいてアンケートを登録するステップと、
アンケート配信ページを表示する為のＨＴＭＬファイルを受信した回答者端末から送信されるアンケート配信要求を受け付けるステップと、
前記アンケート配信要求に基づいて、前記アンケート配信ページにアンケートを重ねて表示させる為のアンケート表示データを送信するアンケートステップと、を備えることを特徴とするアンケート配信方法。
【発明の詳細な説明】
【技術分野】
【０００１】
本発明は、任意のウェブページ上でアンケートを表示させる為のアンケート配信システム、並びに、アンケート配信サーバ、アンケート配信プログラム、アンケート配信方法、に関するものである。
【背景技術】
【０００２】
従来から、インターネットを介してアンケートが行われている。例えば、ウェブページの配信者が、質問事項とそれに対応した回答フォームを自身のウェブページ上に構成したり、質問事項や回答フォームを有するアンケートページを表示する為のＨＴＭＬ（HyperText Markup Language）ファイル等を新たに作成し、既存のウェブページにアンケートページへのリンクを設けることで、アンケートが行われる。
【０００３】
しかし、こうした方法でインターネットを介したアンケートを実施する場合、アンケートを公開する配信者が、ＨＴＭＬ等についてある程度の知識を有する必要がある。
【０００４】
こうした問題を解決する技術として、ポータルページ表示サーバとデータサーバを別個に構成し、バナー処理プログラムによってデータサーバのデータ送受信プログラムが回答者端末に呼び出す技術が知られている（特許文献１）。これにより、ポータルページ表示サーバ側において特段の変更を加えることなく、ポータルサイトのバナー上にアンケートを配信することが可能となった。
【０００５】
また、サーバ装置が、質問事項とそれに対応した回答フォームを有する調査票作成支援処理部と、作成された調査票をサイト上に掲載する処理を行う調査票掲載処理部と、掲載した調査票に対する回答を収集処理する回答収集処理部と、回答を集計処理する自動集計処理部と、回答の集計結果をサイト上に掲載する処理を行う集計結果掲載処理部とを、備えたアンケートシステムが知られている（特許文献２）。これにより、ＨＴＭＬ等の知識のない配信者であっても、アンケートページを容易に作成、公開等することが可能となった。
【先行技術文献】
【特許文献】
【０００６】
【特許文献１】特願２００６−２５１９５０号公報
【特許文献２】特願２０００−２３１５２７号公報
【発明の概要】
【発明が解決しようとする課題】
【０００７】
しかしながら、前述した従来の技術には、つぎのような改善すべき問題点が残されており、既存のウェブページに対して、効果的にアンケートの配信を行うことはできない。
【０００８】
特許文献１に記載の技術では、アンケートの設問や、回答フォーム等を表示させるウェブページ（以下、アンケート配信ページとする）上に、バナーを表示する領域を予め設けておく必要がある。そのため、アンケート配信ページ自体のレイアウトやデザインに制限が生じてしまう。
【０００９】
また、バナーの位置やアンケートの内容を変更する際、バナーをウェブページ上から削除する（アンケートの配信を取りやめる）際等には、アンケート配信ページのＨＴＭＬファイル等に変更を加える必要が生じる。アンケートは、任意の回答期間や回答数を設定して配信されることもあり、アンケートの配信を実施する都度、アンケート配信ページのＨＴＭＬファイル等に変更を加えることは、非常に煩雑である。
【００１０】
特許文献２に記載の技術では、アンケートの回答者をアンケート配信ページに誘導する必要がある。社内アンケート等、アンケートへの回答が義務付けられた場合にはよいが、対象となる回答者がウェブページへの来訪者等の場合、即ち、来訪者の善意によって回答を収集する場合などには、所定のウェブページへの来訪者をアンケートページに移動させる構造によって、回答率の低下を招いてしまう。
【００１１】
本発明は、このような従来の問題点に鑑みてなされたものであり、ウェブページ上でのアンケートの配信を効果的に行う為のアンケート配信システムを提供することを解決すべき課題とする。
【課題を解決するための手段】
【００１２】
上記課題を解決するために、本発明は、アンケート配信サーバと、アンケートの回答者が利用する回答者端末と、アンケートの配信者が利用する配信者端末と、がネットワークを介して通信可能に構成されるアンケート配信システムであって、前記アンケート配信サーバは、前記配信者端末から送信されるアンケート情報を受信するアンケート情報受信手段と、前記アンケート情報に基づいてアンケートを登録するアンケート登録手段と、アンケート配信ページを表示する為のＨＴＭＬファイルを受信した前記回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、を備えることを特徴とする。
【００１３】
アンケートがアンケート配信ページに重ねて表示されることで、アンケート配信ページのレイアウトやデザインを自由に設定しながら、アンケートを配信することができる。
【００１４】
また、アンケートの内容について変更を行う際や、アンケートの配信を取りやめる際、アンケートの配信を停止する際などには、アンケートの配信者は、アンケート配信ページのＨＴＭＬファイル等に特段変更を加えなくてもよく、アンケート配信ページの管理が極めて容易になる。
【００１５】
本発明の好ましい形態では、前記アンケート配信サーバは、前記配信者を特定する為の配信者情報を有し、回答者端末がアンケート配信要求を行う為の配信要求スクリプトを生成するコード生成手段を備え、前記要求受付手段は、前記配信者情報を有するアンケート配信要求を受け付けることを特徴とする。
このような構成とすることで、アンケート配信ページのＨＴＭＬファイルに生成されたコードを埋め込むのみで、ウェブページへの来訪者に対するアンケートの配信を、容易に行うことができる。
【００１６】
本発明の好ましい形態では、前記アンケート配信手段は、前記配信者情報を用いて、出力されるアンケート表示データを決定することを特徴とする。
このような構成とすることで、アンケート登録手段等によって、複数の配信者がアンケートを登録することができ、共通のアンケート配信サーバを利用してアンケート配信を行うことができる。
【００１７】
本発明の好ましい形態では、前記アンケート配信サーバは、前記アンケート配信ページを有する配信先を登録する為の配信先登録手段と、登録された前記配信先及び配信するアンケートを紐付けるアンケート接続手段と、を備えることを特徴とする。
【００１８】
本発明の好ましい形態では、前記要求受付手段は、前記配信先を特定する配信先情報を含むアンケート配信要求を受け付け、前記アンケート配信手段は、前記配信先情報を用いて、出力するアンケート表示データを決定することを特徴とする。
このような構成とすることで、登録したアンケート及びアンケートの配信先を紐付けて管理することができ、任意の配信先に任意のアンケートを配信することができる。
【００１９】
本発明の好ましい形態では、前記アンケート情報は、アンケートを表示する際の条件情報を有し、前記アンケート表示データは、前記回答者端末から得られる回答者情報に基づいてアンケートの表示の可否判断を行う表示条件スクリプトを有すること、を特徴とする。
【００２０】
本発明の好ましい形態では、前記条件情報は、アンケートを表示させない１以上のウェブページを指定する為の除外ページ指定情報を有することを特徴とする。
このような構成とすることで、例えば、初めて来訪した来訪者に対してのみアンケートを実施したり、既にアンケートに回答済みの来訪者に対してアンケートを非表示にしたり等、柔軟にアンケート配信を行うことができる。
【００２１】
本発明の好ましい形態では、前記回答者端末からアンケートに対する回答情報を受け付ける回答受付情報と、前記回答情報に基づいて、アンケートに関するレポートを生成するレポート生成手段と、を備えることを特徴とする。
このような構成とすることで、アンケートへの回答を収集し、表示させることができる。
【００２２】
本発明は、アンケート配信ページにアンケートを表示させる為のアンケート配信サーバであって、アンケートの登録の為に送信されるアンケート情報を受信するアンケート情報受信手段と、前記アンケート情報に基づいてアンケートを登録するアンケート登録手段と、アンケート配信ページを表示する為のＨＴＭＬファイルを受信した回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、を備えることを特徴とする。
【００２３】
本発明は、アンケート配信ページにアンケートを表示させる為のアンケート配信プログラムであって、コンピュータを、アンケートの登録の為に送信されるアンケート情報を受信するアンケート情報受信手段と、前記アンケート情報に基づいてアンケートを登録するアンケート登録手段と、アンケート配信ページを表示する為のＨＴＭＬファイルを受信した回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、として機能させることを特徴とする。
【００２４】
本発明は、アンケート配信ページにアンケートを表示させる為のアンケート配信方法であって、アンケート配信サーバが、アンケートの登録の為に送信されるアンケート情報を受信するステップと、前記アンケート情報に基づいてアンケートを登録するステップと、
アンケート配信ページを表示する為のＨＴＭＬファイルを受信した回答者端末から送信されるアンケート配信要求を受け付けるステップと、前記アンケート配信要求に基づいて、前記アンケート配信ページにアンケートを重ねて表示させる為のアンケート表示データを送信するアンケートステップと、を備えることを特徴とする。
【発明の効果】
【００２５】
本発明によれば、ウェブページ上でのアンケートの配信を効果的に行う為のアンケート配信システムを提供することができる。
【図面の簡単な説明】
【００２６】
【図１】本発明の実施形態に関るアンケート配信システムムの概要を示す図である。
【図２】本発明の実施形態に関るアンケート配信サーバのハードウェア構成図である。
【図３】本発明の実施形態に関るアンケート配信システムの機能ブロック図である。
【図４】本発明の実施形態に関る配信者端末４から登録処理を行う際の処理フローチャートである。
【図５】本発明の実施形態に関るアンケート一覧を表示した際の画面表示例である。
【図６】本発明の実施形態に関るアンケート情報を登録する際の画面表示例である。
【図７】本発明の実施形態に関るアンケート表示させた際の画面表示例である。
【図８】本発明の実施形態に関る配信先情報を登録する際の画面表示例である。
【図９】本発明の実施形態に関るアンケートのレポート表示する際の画面表示例である。
【図１０】本発明の実施形態に関る全体の処理の流れを示す図である。
【図１１】本発明の実施形態に関るアンケート表示の判断を行う際の処理フローチャートである。
【発明を実施するための形態】
【００２７】
以下、図面を用いて、本発明の実施形態に関るアンケート配信システムについて説明する。なお、以下に示す実施形態は本発明の一例であり、本発明を以下の実施形態に限定するものではなく、様々な構成を採用することもできる。
【００２８】
例えば、本実施形態ではアンケート配信システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２９】
本実施形態では、アンケートの配信者は、１又は２以上のウェブページを運営又は管理  しており、当該ウェブページ上に、登録したアンケートを表示させる場合を説明する。また、このような複数の配信者がアンケート配信システムを利用して、任意のウェブページにアンケートの表示を行う。
【００３０】
＜アンケート配信システムの全体構成＞
図１は、本発明の実施形態に関るアンケート配信システムの概要を示す図である。符号１はアンケート配信サーバを示し、符号２はアンケート配信等を行う為に必要な情報を記憶する記憶部を示している。
【００３１】
符号３はアンケートの回答者（アンケート配信ページへの来訪者）が使用する回答者端末を示し、符号４はアンケートの配信者が使用する配信者端末を示している。符号５は回答者端末３のウェブブラウザからのリクエストに応じて、ウェブサイトのＨＴＭＬファイル等を返送し、アンケート配信ページを表示させるウェブサーバを示している。なお、本実施形態において、アンケートに回答していない単なる来訪者であっても回答者と呼ぶ。
【００３２】
なお、ウェブサーバ５から回答者端末３へのアンケート配信ページのＨＴＭＬファイルの送信や、アンケート配信サーバ１から配信者端末４への管理画面のＨＴＭＬファイルの送信は、ＨＴＴＰ（Hyper Text Transfer Protocol）によって行うものとする。データの送受信に、ＨＴＴＰに代えてＨＴＴＰＳ（Hypertext Transfer Protocol Secure）を用いることで、より安全に通信を行うことができる。
【００３３】
符号６は、来訪者に関する情報や、得られたアンケートの回答等の集計、分析等を行う外部サービス（例えば、Google社のGoogleアナリティクス）を提供する外部サーバを示している。アンケート配信サーバ１及び回答者端末３、配信者端末４、ウェブサーバ５、外部サーバ６は、ネットワークＮを介して通信可能になされている。
【００３４】
配信者端末４では、アンケート配信サーバ１にリクエストを行うことで、アンケート等の管理を行う為の管理画面を表示させることができる。
【００３５】
図示例では、１又は複数の記憶部２がアンケート配信サーバ１の外部に設けられているが、アンケート配信サーバ１は、１又は複数の記憶部２を備えてもよい。また、後述するアンケート配信サーバ１の機能構成が、複数のサーバ装置によって実現可能に成されていても構わない。また、本実施形態において、アンケートの回答等は、必ずしも外部サーバ６で処理される必要はない。
【００３６】
＜アンケート配信サーバのハードウェア構成＞
図２は、本発明の実施形態に係るアンケート配信サーバ１のハードウェア構成の一例を示す図である。アンケート配信サーバ１は、演算装置（ＣＰＵ１０１）と、主記憶装置（ＲＡＭ１０２）と、ＨＤＤやＳＳＤ、フラッシュメモリなどの補助記憶装置（記憶部１０３）と、外部の装置とネットワークＮを介して通信を行うためのインタフェースである通信部１０４と、キーボードやマウス等の入力部１０５と、ディスプレイ等の出力部１０６と、を備えている。また、記憶部１０３は、オペレーティングシステム１０７と、オペレーティングシステム１０７と協調してその機能を発揮するアンケート配信プログラム１０８等が記録されている。
【００３７】
回答者端末３は、演算装置（ＣＰＵ）、主記憶装置（ＲＡＭ）、ＨＤＤやＳＳＤ、フラッシュメモリなどの補助記憶装置、ネットワークＮへの接続手段を含む各種の入出力装置など、そして、ウェブサイトの閲覧を行うためのブラウザソフトウェアを備える。回答者端末３として、パーソナルコンピュータやスマートフォン端末、携帯電話などの各種のコンピュータ装置を用いることができる。
【００３８】
配信者端末４は、演算装置（ＣＰＵ）、主記憶装置（ＲＡＭ）、ＨＤＤやＳＳＤ、フラッシュメモリなどの補助記憶装置、ネットワークＮへの接続手段を含む各種の入出力装置など、そして、管理画面の閲覧を行うための管理ソフトウェアを備える。配信者端末４として、回答者端末３と同様、パーソナルコンピュータやスマートフォン端末、携帯電話などの各種のコンピュータ装置を用いることができる。
【００３９】
＜アンケート配信システムの機能構成＞
図３は、本発明の実施形態に関るアンケート配信システムの機能構成例を示す機能ブロック図である。アンケート配信サーバ１は、コード生成手段１１と、登録手段１２と、配信手段１３と、集計手段１４と、を備えている。
【００４０】
＜配信要求スクリプト＞
コード生成手段１１は、回答者端末３のウェブブラウザが、ウェブサーバ５よりアンケート配信ページのＨＴＭＬファイルを受け取った際に、アンケート配信サーバ１に対してアンケート配信要求を行う為の配信要求スクリプトを生成する。
【００４１】
この配信要求スクリプトは、例えば、アンケート配信ページのＨＴＭＬファイルのｂｏｄｙタグ内に配置されており、回答者端末３のウェブブラウザに、ページの読み込みと併せてアンケートの配信要求処理を実行させる。本実施形態において、スクリプトにはＪａｖａＳｃｒｉｐｔ（登録商標）を用いるものとするが、ファイルやスクリプトの形式はこれに限るものではない。
【００４２】
本実施形態では、配信者によって予め、アンケートを配信したいウェブサイトを構成するそれぞれのウェブページのＨＴＭＬファイルに、コード生成手段１１で生成された同一の配信要求スクリプトが配置される。この配信要求スクリプトは、配信者を識別するＩＤ等、アンケートの配信者を特定する為の配信者情報を有している。
【００４３】
本実施形態における配信要求スクリプトは、回答者端末３のウェブブラウザに、アンケート配信サーバ１への共通処理スクリプトファイルの出力をリクエストし、処理を実行させる為のスクリプトである。この共通処理スクリプトファイルは、接続アンケート要求スクリプトと、Cookie制御スクリプトと、アンケートの表示判断スクリプトと、アンケート表示スクリプトと、回答出力スクリプトと、を有している。
【００４４】
この接続アンケート要求スクリプトは、アンケート配信サーバ１に対して、配信要求スクリプトに含まれる配信者情報と、アンケート配信ページのＵＲＬやドメイン、ディレクトリ（ドメイン及びディレクトリ）等アンケートの配信先を特定する為の配信先情報と、により特定されるアンケートファイルの出力リクエストを、ウェブブラウザに行わせるスクリプトである。要求されるアンケートファイルは、アンケートを表示させたいＵＲＬやドメイン（配信先情報）と紐付けて登録されており、アンケートＨＴＭＬと、当該アンケートの表示条件と、を有している。本実施形態において、アンケート表示データとは、配信要求スクリプトによって要求され、アンケートを表示させる為のアンケートファイルが出力されるまでに、アンケート配信サーバ１及び回答者端末３間でやり取りされるこれら複数のファイルを有する。
【００４５】
Cookie制御スクリプトは、Cookie情報（回答者情報）の生成及び制御処理を、回答者端末３のウェブブラウザに実行させる。回答者端末３の記憶部に記録されたCookie情報（回答者情報）は、回答者端末３のウェブブラウザから配信先への訪問回数や閲覧ページ数、滞在時間等を有している。後述するように、あるウェブページに対して複数のアンケートを配信する場合には、配信するアンケートごとに、Cookie情報（回答者情報）を生成し、記憶するように構成してもよい。
【００４６】
表示判断スクリプトは、接続アンケート要求スクリプトによって得られたアンケートファイルの有する表示条件と、Cookie制御スクリプトによって取得されたCookie情報（回答者情報）とに基づいて、アンケートの表示条件の判断を行う。これにより、表示条件を設定してアンケートを配信することができる。
【００４７】
アンケートを表示した際やアンケートが閉じた後に、回答者から、今後のアンケートの表示に関する情報を受け付けて回答者情報として記憶しておき、表示判断に使用するように構成してもよい。表示に関する情報とは、例えば、アンケートの内容が変わったら表示させる、任意期間経過後に表示させる、今後はアンケートを表示させない等、回答者側から設定可能な表示条件である。これにより、アンケート配信ページのユーザビリティを向上させ、同一回答者による重複した回答を避ける効果が期待できる。
【００４８】
また、回答者情報として、アンケート配信ページやトップページのＨＴＴＰファイルをリクエストした際のリファラを取得し、アンケートの表示判断や、配信するアンケートを変化させる為に利用してもよい。
【００４９】
アンケート表示スクリプトは、受け取ったアンケートファイルに基づいて、回答者端末３のウェブブラウザにアンケートを表示させる。回答出力スクリプトは、回答者によって入力されたアンケートへの回答を、アンケート配信サーバ１等に出力させる。回答は、必ずしもアンケート配信サーバ１に出力される必要はなく、例えば、アンケート配信ページのＨＴＭＬファイルや、共通処理スクリプトファイルに配置された外部出力スクリプトによって、外部サーバ６に出力されてもよい。また、アンケート配信サーバ１及び外部サーバ６の双方に出力されるように構成されても構わない。
【００５０】
＜アンケートの登録＞
登録手段１２は、配信者端末４よりアンケート情報の入力を受け付けるアンケート情報受付手段１２１と、入力されたアンケート情報に基づいてアンケートを登録するアンケート登録手段１２２と、アンケートを表示させる配信先を登録する配信先登録手段１２３と、登録したアンケート及び配信先を接続して、配信先へのアンケートの配信を開始する為のアンケート接続手段１２４と、を備えている。
【００５１】
図４〜８を用いて、配信者端末４からアンケートなどの登録を行う際の処理について説明する。図４は、配信者端末４から登録処理を行う際の処理フローチャートであり、図４（ａ）は、アンケートを登録する際の処理フローチャートを示す。
【００５２】
まず、登録されたアンケートの一覧を読み込む。図５（ａ）は、アンケートの一覧を表示した際の画面表示例であり、図５（ｂ）は、一覧から特定のアンケートを選択した際の画面表示例である。
【００５３】
新たにアンケートを登録する場合（ステップＳ１でＹ）、図５（ａ）における「アンケートを登録する」を選択し、新規登録を行う（ステップＳ３）。登録済みのアンケートを編集する場合（ステップＳ１でＮ）、図５（ｂ）における「編集」を選択し、登録済みのアンケートの編集を行う（ステップＳ２）。図５（ｂ）において、登録したアンケート情報と、アンケート表示のイメージが確認でき、ここでアンケートの背景色を設定可能に構成されている。
【００５４】
アンケート情報受付手段１２１は、配信者端末４より入力されたアンケート情報に基づいてアンケートの内容の編集を行う。まず、ステップＳ４では、アンケートの名称と、アンケートの表示形式の編集を行う。図６（ａ）は、アンケートの名称及び表示するアンケートの表示形式を編集する際の画面例を示す。
【００５５】
本実施形態において、アンケートの表示形式は２種類設定されている。表示形式として、アンケートに回答しなければ、アンケート配信ページのスクロールやリンクの選択等コンテンツの閲覧ができなくなる強制回答型と、アンケートに回答しなくてもアンケート配信ページを操作し、閲覧などを行うことができる任意回答型と、が設定されている。本実施形態では、この二通りの表示形式を選択可能（図中における「アンケート表示形式」）にしているが、アンケート配信ページと重ねて／重ねないで、表示させる他の表示形式で表示可能に構成しても構わない。
【００５６】
図７は、回答者端末３のウェブブラウザで表示されたアンケート配信ページに、それぞれの表示形式でアンケートを表示させた際の画面表示例である。図７（ａ）は強制回答型の表示形式でアンケートを表示した際の画面表示例を示し、図７（ｂ）は任意回答型の表示形式でアンケートを表示した際の画面表示例である。アンケートは、アンケート配信ページ（図５における「aaaa.net」）を閲覧中に所定の条件を満たした場合、アンケート配信ページに重ねて表示される。
【００５７】
次いで、アンケートの設問の編集を行う（ステップＳ５）。図６（ｂ）はアンケートの設問を編集する際の画面例を示す。図６（ｂ）に示すように、本実施形態におけるアンケートの設問とは、アンケートの開始ページ及び終了ページに表示させるテキストと、設問の内容と、設問の形式と、選択式の設問形式の場合に入力する選択肢と、を有している。設問の形式とは、例えばラジオボタンで１の回答選択を受け付けるもの、チェックボックスで複数の回答選択を受け付けるもの、テキスト入力を受け付けるもの、等である。
【００５８】
最後に、アンケートの表示条件の編集を行う（ステップＳ６）。図６（ｃ）は、アンケート配信ページにアンケートが表示されるための表示条件及び、表示タイミングを登録する際の画面例である。
【００５９】
図６（ｃ）に示すように、本実施形態では、アンケートの表示条件（図中における「表示条件」）項目として、ウェブサイトへの任意回数の訪問、ウェブページの閲覧数、ウェブサイトでの滞在時間、任意のウェブページを閲覧したか否かが登録できる。表示条件としては、これらを１つでも満たした場合（ＯＲ条件）、全て満たした場合（ＡＮＤ条件）、任意の組み合わせ条件、など所望の条件設定（図中における「条件の設定」）により表示条件を設定することができる。加えて、上述の表示条件に加え、初めて来訪した来訪者であるか否か（図中における「初回表示」）、によって表示条件を設定することもできる。
【００６０】
表示タイミングとして、前述の表示条件を満たした際と、満たした後にページを離脱した際と、が選択可能になされている。また、初めて来訪した来訪者に対して、どのページでアンケートを表示するか（図中における「初回表示ページ」）の登録と、アンケートに既に回答した来訪者及びアンケートが表示されたが回答しなかった来訪者に対して、出現条件に達してもアンケートを非表示にしておく期間（図中における「非表示期間」）を設定することができる。ステップＳ４〜Ｓ６においてアンケート情報が入力できたなら、アンケート登録手段１２２によりアンケートを登録する（ステップＳ７）。また、表示条件や表示タイミングとして設定可能な他の項目として、例えば、アンケート配信ページを８０％以上スクロールした場合等、ページのスクロール軸方向の移動量や、ページの読込みから３０秒経過後に表示させる場合等、ページ読込からの経過時間によって、アンケートを表示させるように構成してもよい。
【００６１】
＜配信先の登録＞
図４（ｂ）は、配信先を登録する際の処理フローチャートを示す。配信先登録手段１２３は、配信者端末４よりアンケートの配信先情報の入力を受け付け、配信先を登録する。本実施形態では、配信先登録手段１２３が登録する配信先情報は、複数のウェブページを有するウェブサイトのドメインであり、このドメインによって１又は２以上のウェブページにより構成されたウェブサイト（配信先）が登録される。図７（ａ）は、配信者端末４から配信先であるウェブサイトのドメインと、配信先の名称と、を登録する際の画面表示例である。
【００６２】
まず、登録された配信先の一覧を読み込む。図８（ａ）は、配信先の一覧を表示した際の画面表示例であり、図８（ｂ）は、一覧から特定の配信先を選択した際の画面表示例である。
【００６３】
新たに配信先を登録する場合（ステップＳ１１でＹ）、図８（ａ）における「ドメインを登録する」を選択し、新規登録を行う（ステップＳ１３）。登録済みの配信先を編集する場合（ステップＳ１１でＮ）、図８（ｂ）における「編集」を選択し、登録済みの配信先の編集を行う（ステップＳ１２）。
【００６４】
配信先登録手段１２３は、配信者端末４より入力された配信先情報に基づいて配信先の内容の編集を行う。ステップＳ１４では、配信先の名称と、配信先のドメインの編集を行う。図８（ｃ）は、配信先の名称及びドメインを編集する際の画面例を示す。本例では、配信先をドメインで特定してアンケート配信ページを登録しているが、ＵＲＬやディレクトリにより、１以上のウェブページ単位で配信先を登録するように構成しても構わない。例えば、配信先をディレクトリ単位で指定し、ディレクトリごとに異なるアンケートを接続して配信することで、複数カテゴリの商品を扱う企業ウェブサイトや、ポータルページなどで、個々のウェブページの内容と対応したアンケートを配信することができる。
【００６５】
ステップＳ１４においてアンケート情報が入力できたなら、配信先を登録する（ステップＳ１５）。
【００６６】
＜アンケートと配信先の接続＞
アンケート接続手段１２４は、配信者端末４からの要求に応じて、登録したアンケート及び配信先を紐付ける。これにより、配信者は、登録したアンケートを所望の配信先に配信することができる。図４（ｃ）は、登録したアンケート及び配信先を接続する際の処理フローチャートを示す。
【００６７】
まず、図８（ａ）の画面に表示された登録済の配信先の一覧から、アンケートとの接続を行う配信先を選択し、図８（ｃ）に示す、配信先の詳細情報を表示させる（ステップＳ２１）。そして、図中における「接続アンケート選択」より、配信先に表示させるアンケートを選択する（ステップＳ２２）。
【００６８】
アンケートを選択したならば、登録する（ステップＳ２３）。アンケートが配信先と接続されると、アンケート接続手段１２４は、アンケートファイルを生成し、記憶部２に記憶する（ステップＳ２４）。本実施形態においては、アンケートファイルは、設問や表示条件等のアンケート情報を有し、配信者情報（配信者ＩＤ）及び配信先情報（ドメイン）により一意に識別可能に記憶されている。そのため、１の配信先（ウェブサイト）に対して、１のアンケートのみが接続できる。一方、１のアンケートは、複数の配信先に接続可能に構成されている。１の配信先に複数のアンケートを接続し、回答者情報や日時等に基づいて配信するアンケートを変化させるように構成しても構わない。
【００６９】
＜アンケートファイルの出力＞
配信手段１３は、回答者端末３からのリクエストを受け付け受付手段１３１と、受け付けたリクエストに応じて情報を出力する出力手段１３２と、リクエストに応じてアンケートファイルを検索する検索手段１３３と、を備えている。
【００７０】
受付手段１３１は、配信要求スクリプトによるリクエストを受け取り、出力手段１３２は共通処理スクリプトファイルを返送する。共通処理スクリプトファイルによるアンケートファイルの出力リクエストを受け取ると、検索手段１３３は、配信者情報及び配信先情報に基づいて、記憶部２に記憶されたアンケートファイルから、配信対象となるアンケートのアンケートファイルを特定する。導出されたアンケートファイルは、出力手段１３２によって、回答者端末３のウェブブラウザに返送される。
【００７１】
＜回答の集計＞
集計手段１４は、回答出力スクリプトによるアンケートへの回答等を受け付ける回答受付手段１４１と、回答出力スクリプトによって出力されたアンケートへの回答等に基づいてアンケートのレポートを生成するレポート生成手段１４２と、配信者端末４からの要求に基づいて生成したレポートを出力するレポート出力手段１４３と、を備えている。
【００７２】
図９は、アンケートのレポートを配信者端末４で表示する際の画面表示例である。図９（ａ）は、配信が行われた（接続された）アンケート及び配信先の組み合わせ一覧が表示されている。図８（ｂ）は、この一覧から接続されたアンケートを選択し、レポートを表示した際の画面表示例である。
【００７３】
レポートでは、図８（ｂ）に表されるように、アンケートの表示回数や質問への回答数、全問全てに回答された数、個々の設問についての回答の数、最近の回答内容、などが表示されている。
【００７４】
＜全体の処理の流れ＞
次いで、図１０を用いて、回答者端末３でのアンケート配信ページの表示から、アンケートの回答を取得するまでの流れについて説明する。回答者端末３のウェブブラウザは、ウェブサーバ５にアンケート配信ページの出力リクエストを行う（ステップＳ３１）。ウェブサーバ５は、アンケート配信ページの出力リクエストを受け取り（ステップＳ３２）、アンケート配信ページのＨＴＭＬファイルを回答者端末３に返送する（ステップＳ３３）。
【００７５】
回答者端末３は、ＨＴＭＬファイルを受け取り、アンケート配信ページを表示する（ステップＳ３４）。また、このＨＴＭＬファイルに含まれる配信要求スクリプトにより、回答者端末３のウェブブラウザは、アンケート配信サーバ１に共通処理スクリプトファイルの出力リクエストを行う。アンケート配信サーバ１は、共通処理スクリプトファイルの出力リクエストを受け取り（ステップＳ３５）、共通処理スクリプトファイルを回答者端末３に返送する（ステップＳ３６）。回答者端末３は、アンケート配信サーバ１から共通処理スクリプトファイルを受け取る（ステップＳ３７）。アンケート配信ページのドメインと、配信要求スクリプトに含まれる配信者情報と、に基づいてアンケート配信サーバ１へのアンケートファイルの配信リクエストが行われる（ステップＳ３８）。
【００７６】
アンケート配信サーバ１は、アンケートファイルの配信リクエストを受け取り（ステップＳ３９）、検索手段１３３により当該配信者が当該配信先に接続したアンケートファイルを導出し、アンケートファイルを出力する（ステップＳ４０）。
【００７７】
回答者端末３は、アンケートファイルを受け取る（ステップＳ４１）。回答者の訪問回数やページ閲覧数、閲覧時間等は、Cookieにより回答者情報として記録されており、表示判断スクリプトは、この回答者情報と、アンケートファイルの有する表示条件と、により表示の判断を行う（ステップＳ４２）。表示の判断が行われたならば、アンケートが、アンケート配信ページに重ねて表示される（ステップＳ４３）。
【００７８】
回答者がアンケートの設問に答えると、回答出力スクリプトにより、回答が出力される（ステップＳ４４）。出力された回答は、アンケート配信サーバ１及び外部サーバ６で受け取られ（ステップＳ４５、Ｓ４７）、記録される（ステップＳ４６、Ｓ４８）。
【００７９】
＜表示判断処理の流れ＞
次いで、図１１を用いて、回答者端末３でのアンケート表示の判断について説明する。回答者端末３のウェブブラウザには、共通処理スクリプトファイルによって得られたアンケート配信ページのＵＲＬと、回答者情報と、が読み込まれる（ステップＳ５１）。
【００８０】
アンケートに初回訪問者に対してアンケートを表示させる設定がなされている場合には、初回表示条件の判断が行われる（ステップＳ５２）。アンケート配信ページのＵＲＬが初回表示をするページのＵＲＬと一致した場合等、初回表示条件に一致した場合（ステップＳ５２でＹｅｓ）、ステップＳ５６に進む。初回表示条件に一致しなかった場合（ステップＳ５２でＮｏ）、ステップＳ５３に進む。
【００８１】
ステップＳ５３では、任意のページにてアンケートを表示させる為に指定された指定ＵＲＬが、当該アンケート配信ページのＵＲＬと一致するか否が判断される。当該アンケート配信ページのＵＲＬが指定ＵＲＬに一致した場合（ステップＳ５３でＹｅｓ）、ステップＳ５５に進む。当該アンケート配信ページのＵＲＬが指定ＵＲＬに一致しなかった場合（ステップＳ５３でＮｏ）、ステップＳ５４に進む。
【００８２】
ステップＳ５４では、任意のページにてアンケートを表示させない為に指定された非表示ＵＲＬが、当該アンケート配信ページのＵＲＬと一致するか否が判断される。当該アンケート配信ページのＵＲＬが非表示ＵＲＬに一致した場合（ステップＳ５４でＹｅｓ）、アンケートを表示させず（ステップＳ５８）、処理を終了する。当該アンケート配信ページのＵＲＬが非表示ＵＲＬに一致しなかった場合（ステップＳ５４でＮｏ）、ステップＳ５５に進む。
【００８３】
ステップＳ５５では、回答者情報と表示条件に基づいて、アンケートの表示条件が満たされているか否かが判断される。表示条件を満たした場合（ステップＳ５５でＹｅｓ）、ステップＳ５６に進む。表示条件を満たしていない場合（ステップＳ５５でＮｏ）、アンケートを表示させず（ステップＳ５８）、処理を終了する。
【００８４】
ステップＳ５６では、アンケートの表示タイミングか否かが判断される。表示タイミングに一致する場合（ステップＳ５６でＹｅｓ）、ステップＳ５７に進み、アンケートを表示させる。表示タイミングに一致しない場合（ステップＳ５６でＮｏ）、表示タイミングに一致するまで、アンケートを表示させない。
【００８５】
本発明によれば、アンケートがアンケート配信ページに重ねて表示されることで、アンケート配信ページのレイアウトやデザインを自由に設定しながら、アンケートを配信することができる。
【００８６】
また、アンケートの内容について変更を行う際や、アンケートの配信を取りやめる際、アンケートの配信を停止する際などには、アンケートの配信者は、アンケート配信ページのＨＴＭＬファイル等に特段変更を加えなくてもよく、アンケート配信ページの管理が極めて容易になる。
【００８７】
また、アンケート配信ページのＨＴＭＬファイルに生成されたコードを埋め込むのみで、ウェブページへの来訪者に対するアンケートの配信を、容易に行うことができる。
【００８８】
また、登録したアンケート及びアンケートの配信先を紐付けて管理することができ、任意の配信先に任意のアンケートを容易に配信・管理することができる。
【００８９】
また、アンケートを表示させる条件を設定することができ、例えば、初めて来訪した来訪者に対してのみアンケートを表示したり、アンケート配信ページでの滞在時間が所定時間を経過した来訪者に対してアンケートを表示したり、既にアンケートに回答済みの来訪者に対してアンケートを非表示にしたり等、柔軟にアンケート配信を行うことができる。
【符号の説明】
【００９０】
１  アンケート配信サーバ
１０１  ＣＰＵ
１０２  ＲＡＭ
１０３  記憶部
１０４  通信部
１０５  入力部
１０６  出力部
１０７  オペレーティングシステム
１０８  アンケート配信プログラム
１１  コード生成手段
１２  登録手段
１２１  アンケート情報受付手段
１２２  アンケート登録手段
１２３  配信先登録手段
１２４  アンケート接続手段
１３  配信手段
１３１  受付手段
１３２  出力手段
１３３  検索手段
１４  集計手段
１４１  回答受付手段
１４２  レポート生成手段
１４３  レポート出力手段
２  記憶部
３  回答者端末
４  配信者端末
５  ウェブサーバ
６  外部サーバ
Ｎ  ネットワーク
【図１】
2017174333.tif 000003
【図２】
2017174333.tif 000004
【図３】
2017174333.tif 000005
【図４】
2017174333.tif 000006
【図５】
2017174333.tif 000007
【図６】
2017174333.tif 000008
【図７】
2017174333.tif 000009
【図８】
2017174333.tif 000010
【図９】
2017174333.tif 000011
【図１０】
2017174333.tif 000012
【図１１】
2017174333.tif 000013
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
アンケート配信サーバと、アンケートの回答者が利用する回答者端末と、アンケートの配信者が利用する配信者端末と、がネットワークを介して通信可能に構成されるアンケート配信システムであって、
前記アンケート配信サーバは、前記配信者端末から送信されるアンケート情報を受信するアンケート情報受信手段と、
前記アンケート情報に基づいてアンケートを登録するアンケート登録手段と、
アンケート配信ページを表示する為のＨＴＭＬファイルを受信した前記回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、
前記アンケート配信ページを有する配信先を登録する為の配信先登録手段と、
登録された前記配信先及び配信するアンケートを紐付けるアンケート接続手段と、を備えることを特徴とするアンケート配信システム。
【請求項２】
前記アンケート配信サーバは、前記配信者を特定する為の配信者情報を有し、回答者端末がアンケート配信要求を行う為の配信要求スクリプトを生成するコード生成手段を備え、
前記要求受付手段は、前記配信者情報を有するアンケート配信要求を受け付けることを特徴とする請求項１に記載のアンケート配信システム。
【請求項３】
前記アンケート配信手段は、前記配信者情報を用いて、出力されるアンケート表示データを決定することを特徴とする請求項２に記載のアンケート配信システム。
【請求項４】
前記要求受付手段は、前記配信先を特定する配信先情報を含むアンケート配信要求を受け付け、
前記アンケート配信手段は、前記配信先情報を用いて、出力するアンケート表示データを決定することを特徴とする請求項１〜３の何れかに記載のアンケート配信システム。
【請求項５】
前記アンケート情報は、アンケートを表示する際の条件情報を有し、
前記アンケート表示データは、前記回答者端末から得られる回答者情報に基づいてアンケートの表示の可否判断を行う表示条件スクリプトを有すること、を特徴とする請求項１〜４に何れかに記載のアンケート配信システム。
【請求項６】
前記条件情報は、アンケートを表示させない１以上のウェブページを指定する為の除外ページ指定情報を有することを特徴とする請求項５に記載のアンケート配信システム。
【請求項７】
前記回答者端末からアンケートに対する回答情報を受け付ける回答受付手段と、
前記回答情報に基づいて、アンケートに関するレポートを生成するレポート生成手段と、を備えることを特徴とする請求項１〜６に何れかに記載のアンケート配信システム。
【請求項８】
アンケート配信ページにアンケートを表示させる為のアンケート配信サーバであって、
アンケートの登録の為に送信されるアンケート情報を受信するアンケート情報受信手段と、
前記アンケート情報に基づいてアンケートを登録するアンケート登録手段と、
アンケート配信ページを表示する為のＨＴＭＬファイルを受信した回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、
前記アンケート配信ページを有する配信先を登録する為の配信先登録手段と、
登録された前記配信先及び配信するアンケートを紐付けるアンケート接続手段と、を備えることを特徴とするアンケート配信サーバ。
【請求項９】
アンケート配信ページにアンケートを表示させる為のアンケート配信プログラムであって、
コンピュータを、アンケートの登録の為に送信されるアンケート情報を受信するアンケート情報受信手段と、
前記アンケート情報に基づいてアンケートを登録するアンケート登録手段と、
アンケート配信ページを表示する為のＨＴＭＬファイルを受信した回答者端末から送信されるアンケート配信要求を受け付ける要求受付手段と、
前記アンケート配信要求に基づいて、前記アンケート配信ページにアンケートを重ねて表示させる為のアンケート表示データを送信するアンケート配信手段と、
前記アンケート配信ページを有する配信先を登録する為の配信先登録手段と、
登録された前記配信先及び配信するアンケートを紐付けるアンケート接続手段と、として機能させることを特徴とするアンケート配信プログラム。
【請求項１０】
アンケート配信ページにアンケートを表示させる為のアンケート配信方法であって、
アンケート配信サーバが、アンケートの登録の為に送信されるアンケート情報を受信するステップと、
前記アンケート情報に基づいてアンケートを登録するステップと、
アンケート配信ページを表示する為のＨＴＭＬファイルを受信した回答者端末から送信されるアンケート配信要求を受け付けるステップと、
前記アンケート配信要求に基づいて、前記アンケート配信ページにアンケートを重ねて表示させる為のアンケート表示データを送信するアンケートステップと、
前記アンケート配信ページを有する配信先を登録するステップと、
登録された前記配信先及び配信するアンケートを紐付けるステップと、を備えることを特徴とするアンケート配信方法。
【手続補正２】
【補正対象書類名】明細書
【補正対象項目名】００１２
【補正方法】変更
【補正の内容】
【００１２】
上記課題を解決するために、本発明は、アンケート配信サーバと、アンケートの回答者が利用する回答者端末と、アンケートの配信者が利用する配信者端末と、がネットワークを介して通信可能に構成されるアンケート配信システムであって、前記アンケート配信サーバは、前記配信者端末から送信されるアンケート情報を受信するアンケート情報受信手段と、前記アンケート情報に基づいてアンケートを登録するアンケート登録手段と、アンケート配信ページを表示する為のＨＴＭＬファイルを受信した前記回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、前記アンケート配信ページを有する配信先を登録する為の配信先登録手段と、登録された前記配信先及び配信するアンケートを紐付けるアンケート接続手段と、を備えることを特徴とする。
【手続補正３】
【補正対象書類名】明細書
【補正対象項目名】００２２
【補正方法】変更
【補正の内容】
【００２２】
本発明は、アンケート配信ページにアンケートを表示させる為のアンケート配信サーバであって、アンケートの登録の為に送信されるアンケート情報を受信するアンケート情報受信手段と、前記アンケート情報に基づいてアンケートを登録するアンケート登録手段と、アンケート配信ページを表示する為のＨＴＭＬファイルを受信した回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、前記アンケート配信ページを有する配信先を登録する為の配信先登録手段と、登録された前記配信先及び配信するアンケートを紐付けるアンケート接続手段と、を備えることを特徴とする。
【手続補正４】
【補正対象書類名】明細書
【補正対象項目名】００２３
【補正方法】変更
【補正の内容】
【００２３】
本発明は、アンケート配信ページにアンケートを表示させる為のアンケート配信プログラムであって、コンピュータを、アンケートの登録の為に送信されるアンケート情報を受信するアンケート情報受信手段と、前記アンケート情報に基づいてアンケートを登録するアンケート登録手段と、アンケート配信ページを表示する為のＨＴＭＬファイルを受信した回答者端末から送信されるアンケート配信要求を受け付ける要求受付手段と、前記アンケート配信要求に基づいて、前記アンケート配信ページにアンケートを重ねて表示させる為のアンケート表示データを送信するアンケート配信手段と、前記アンケート配信ページを有する配信先を登録する為の配信先登録手段と、登録された前記配信先及び配信するアンケートを紐付けるアンケート接続手段と、として機能させることを特徴とする。
【手続補正５】
【補正対象書類名】明細書
【補正対象項目名】００２４
【補正方法】変更
【補正の内容】
【００２４】
本発明は、アンケート配信ページにアンケートを表示させる為のアンケート配信方法であって、アンケート配信サーバが、アンケートの登録の為に送信されるアンケート情報を受信するステップと、前記アンケート情報に基づいてアンケートを登録するステップと、
アンケート配信ページを表示する為のＨＴＭＬファイルを受信した回答者端末から送信されるアンケート配信要求を受け付けるステップと、前記アンケート配信要求に基づいて、前記アンケート配信ページにアンケートを重ねて表示させる為のアンケート表示データを送信するアンケートステップと、前記アンケート配信ページを有する配信先を登録するステップと、登録された前記配信先及び配信するアンケートを紐付けるステップと、を備えることを特徴とする。